(57)【要約】【課題】人感センサと負荷回路との組合せの変更を容易にした人感式負荷制御システムのセンサコントローラを提供する。【解決手段】複数個の人感センサ２による検知情報が各別に入力される複数個のセンサ入力部１１と、複数の負荷回路の制御状態を負荷回路ごとに指示する負荷制御部１２と、センサ入力部１１に入力された検知情報の組合せを負荷回路の制御状態に対応付けた制御テーブルを格納した記憶部１３と、制御テーブルの内容を設定・修正するためのパーソナルコンピュータのような他装置が接続可能なインタフェースである設定部１４と、各センサ入力部１１に入力された検知情報を記憶部１３に格納された制御テーブルに照合することにより負荷制御部１２による各負荷回路の制御状態を決定する演算処理部１０とを備える。【選択図】図１
2008172806.tif 000002
【特許請求の範囲】
【請求項１】
複数個の人感センサによる検知情報が各別に入力される複数個のセンサ入力部と、複数の負荷回路の制御状態を負荷回路ごとに指示する負荷制御部と、センサ入力部に入力された検知情報の組合せを負荷回路の制御状態に対応付けることで任意個数の人感センサと任意個数の負荷回路とを対応付けた制御テーブルを格納した記憶部と、制御テーブルの内容を設定・修正するためのパーソナルコンピュータのような他装置が接続可能なインタフェースである設定部と、各センサ入力部に入力された検知情報を記憶部に格納された制御テーブルに照合することにより負荷制御部による各負荷回路の制御状態を決定する演算処理部とを備えることを特徴とする人感式負荷制御システムのセンサコントローラ。
【請求項２】
前記負荷制御部には前記負荷回路がそれぞれ接続可能な負荷出力部が設けられていることを特徴とする請求項１記載の人感式負荷制御システムのセンサコントローラ。
【請求項３】
前記負荷回路がそれぞれ接続されるとともに各別のアドレスが設定された制御ユニットが伝送路を介して負荷制御部に接続され、前記負荷制御部には各アドレスを指定するとともに当該アドレスに対応する負荷回路の制御状態を指示する制御データを含んだ伝送信号を送出する送信部が設けられ、各制御ユニットには、伝送路を通して伝送信号を受信する受信部と、伝送信号に含まれるアドレスが設定されたアドレスに一致すると制御データの内容に従って負荷回路の制御状態を制御する出力部とが設けられていることを特徴とする請求項１記載の人感式負荷制御システムのセンサコントローラ。
【発明の詳細な説明】
【技術分野】
【０００１】
本発明は、人感センサにより設定された検知エリア内の人の存否を負荷の制御状態と対応付けるために用いられる人感式負荷制御システムのセンサコントローラに関するものである。
【背景技術】
【０００２】
従来から、人感センサを用いて規定の検知エリア内での人の存否（在／不在）を検出するとともに、検知エリア内の人の存否に応じて照明器具の点灯・消灯や空調機器を運転・停止を制御する負荷制御システムが提供されている。この種の負荷制御システムを用いると、人の不在時に照明器具が点灯したり空調機器が運転されたりするのを防止することができ、無駄な電力消費を抑制することが可能になる。
【０００３】
ところで、人感センサはリレーのようなスイッチ要素を器体内に設けて壁スイッチなどのスイッチに代えて用いることを可能としたものが多く、この種の人感センサでは負荷回路を接続することによって、人感センサと負荷回路とを一対一に対応付けている。通常の人感センサでは、人が検知されていない状態から人が検知されるようになると負荷回路に通電し、人が検知されている状態から人が検知されなくなると負荷回路への通電を停止する。
【０００４】
したがって、オフィス内の空間をオフィス内の部署に対応付けるなどして複数の区画に分割し、各区画ごとに照明器具を点灯・消灯させるためにこの種の人感センサを用いる場合には、各区画をそれぞれ検知エリアに対応付けた複数個の人感センサを配置し、各区画ごとに照明器具を人感センサに接続することになる。
【０００５】
上述のように各区画ごとに人感センサを配置して区画内の照明器具を接続すれば、各区画ごとに人の存否に応じて照明器具を点灯・消灯させることができ、無駄な電力消費を抑制することになる。ただし、各区画の大きさは人感センサの検知エリアに一致しているとは限らず、検知エリアよりも広い区画が設定されることも多い。このような場合に対応するために、スイッチ要素を持たず人の検知のみを行う子器を接続し、負荷回路のオン・オフを制御するための検知情報として子器からの検知情報も併せて用いるようにしたものも提供されている。つまり、適宜個数の子器を設けることによって１系統の負荷回路に接続した照明器具の照明範囲に対応するように検知エリアを設定することが可能になる。
【０００６】
しかしながら、部署の配置変更などに伴って検知エリアと照明器具との関係に変更が必要になったときには、子器の配置や接続関係の変更が必要になる。たとえば、図９（ａ）に示すように、それぞれ照明器具を配置した３個の区画Ａ，Ｂ，Ｃを設け、区画Ａ，Ｃにそれぞれ対応する検知エリアを有した２個の人感センサ２を配置するとともに、区画Ｂに対応する検知エリアを有した子器２ａを配置し、区画Ｃを検知エリアとする人感センサ２に子器２ａを接続してある。ここに、区画Ｃに配置した人感センサ２により制御される負荷回路に区画Ｂ，Ｃの照明器具を接続してあり、区画Ａに配置した人感センサ２により制御される負荷回路には区画Ａの照明器具を接続してある。したがって、区画Ａに人が存在すれば区画Ａの照明器具が点灯し、区画Ｂ，Ｃのいずれかに人が存在すれば区画Ｂ，Ｃの照明器具がともに点灯することになる。
【０００７】
いま、区画Ａ，Ｂのいずれかに人が存在するときに区画Ａ，Ｂの照明器具をともに点灯させ、区画Ｃに人が存在するときに区画Ｃの照明器具を点灯させるような変更の必要が生じたとする。この場合、図９（ｂ）のように、区画Ａに配置した人感センサ２に区画Ｂに配置した子器２ａを接続するとともに、区画Ａ，Ｂの照明器具を区画Ａに配置した人感センサ２により制御される負荷回路に接続する。また、区画Ｃに配置した人感センサ２を独立させるとともに、区画Ｃの照明器具を区画Ｃに配置した人感センサ２により制御される負荷回路に接続する。このような変更を行うには、子器２ａの接続先を変更するのはもちろんのこと、照明器具と人感センサ２との接続関係も変更しなければならず、煩雑な作業が要求されることになる。
【０００８】
一方、タッチパネルに触れることによりセンサと負荷の対応関係を設定して設定記憶部に記憶する対応関係設定記憶手段を、コントローラに設けた構成が知られている（たとえば、特許文献１参照）。
【特許文献１】特開平８−３３１６５９号公報
【発明の開示】
【発明が解決しようとする課題】
【０００９】
本発明は上記事由に鑑みて為されたものであり、その目的は、人感センサと負荷回路との組合せの変更を容易にした人感式負荷制御システムのセンサコントローラを提供することにある。
【課題を解決するための手段】
【００１０】
請求項１の発明は、複数個の人感センサによる検知情報が各別に入力される複数個のセンサ入力部と、複数の負荷回路の制御状態を負荷回路ごとに指示する負荷制御部と、センサ入力部に入力された検知情報の組合せを負荷回路の制御状態に対応付けることで任意個数の人感センサと任意個数の負荷回路とを対応付けた制御テーブルを格納した記憶部と、制御テーブルの内容を設定・修正するためのパーソナルコンピュータのような他装置が接続可能なインタフェースである設定部と、各センサ入力部に入力された検知情報を記憶部に格納された制御テーブルに照合することにより負荷制御部による各負荷回路の制御状態を決定する演算処理部とを備えることを特徴とする。
【００１１】
請求項２の発明では、請求項１の発明において、前記負荷制御部には前記負荷回路がそれぞれ接続可能な負荷出力部が設けられていることを特徴とする。
【００１２】
請求項３の発明では、請求項１の発明において、前記負荷回路がそれぞれ接続されるとともに各別のアドレスが設定された制御ユニットが伝送路を介して負荷制御部に接続され、前記負荷制御部には各アドレスを指定するとともに当該アドレスに対応する負荷回路の制御状態を指示する制御データを含んだ伝送信号を送出する送信部が設けられ、各制御ユニットには、伝送路を通して伝送信号を受信する受信部と、伝送信号に含まれるアドレスが設定されたアドレスに一致すると制御データの内容に従って負荷回路の制御状態を制御する出力部とが設けられていることを特徴とする。
【発明の効果】
【００１３】
請求項１の発明の構成によれば、人感センサからセンサ入力部に入力された検知情報の組合せを負荷回路の制御状態に対応付ける制御テーブルを備え、制御テーブルの内容を設定・修正するためのパーソナルコンピュータのような他装置が接続可能なインタフェースである設定部を備えているので、人感センサと負荷回路との組合せを任意に変更することが可能になり、人感センサの検知エリアと負荷回路との組合せの自由度が大きくなるとともに、多くの場合に接続の変更を伴わずに組合せの変更が容易に行えるという利点を有する。
【００１４】
請求項２の発明は、請求項１の発明において、前記負荷制御部には前記負荷回路がそれぞれ接続可能な負荷出力部が設けられているので、各負荷出力部に負荷回路を直接接続することができ一般的なスイッチに代えて用いることが可能である。
【００１５】
請求項３の発明は、請求項１の発明において、前記負荷回路がそれぞれ接続されるとともに各別のアドレスが設定された制御ユニットが伝送路を介して負荷制御部に接続され、前記負荷制御部には各アドレスを指定するとともに当該アドレスに対応する負荷回路の制御状態を指示する制御データを含んだ伝送信号を送出する送信部が設けられ、各制御ユニットには、伝送路を通して伝送信号を受信する受信部と、伝送信号に含まれるアドレスが設定されたアドレスに一致すると制御データの内容に従って負荷回路の制御状態を制御する出力部とが設けられているものであり、制御ユニットのアドレスを指定する伝送信号を伝送することにより負荷回路の制御状態を変更するから、有線の伝送路を用いる場合でも結線数が少なく配線施工が容易であり、しかも人感センサ２と負荷回路の制御状態との対応関係は制御テーブルに設定されるから、他装置を用いることなく送信部から受信部に伝送信号を伝送すればよく、伝送路上のトラフィックの増加を抑制することができ、制御すべき負荷回路数が多い場合でも応答速度の低下が少ないという利点がある。
【発明を実施するための最良の形態】
【００１６】
（第１の実施の形態）
本実施形態に示す人感式負荷制御システムは、図１に示すように、センサコントローラ１に人感センサ２を接続するとともに負荷３を含む負荷回路を接続して構成される。センサコントローラ１は、それぞれ人感センサ２を接続可能な複数個のセンサ入力部１１と、それぞれ負荷回路を接続可能な複数個の負荷出力部１２ａを備えた負荷制御部１２とを備える。人感センサ２としては規定した検知エリア内で熱線量に規定した大きさを超える変化が生じるとパルス状の１個の検知信号を出力するものを用いる。この種の人感センサ２は周知のものであって、焦電型赤外線センサにより人体から放射される熱線を検知し、焦電型赤外線センサにより熱線量の変化が検出されたときに検知信号を出力するように構成される。人感センサ２から出力される検知信号は検知情報としてセンサ入力部１１に与えられる。
【００１７】
人感センサ２では人の動きによって熱線量が変化したときにのみ検知信号を発生するから、検知エリア内に人が存在しているにもかかわらず人に動きがないことによって検知信号が得られないことがある。そこで、各センサ入力部１１では検知信号が入力されると一定時間（たとえば、５分）である保持時間を時限し、保持時間の時限中に再び検知信号が入力されると保持時間をさらに一定時間延長して時限するように構成してある。つまり、センサ入力部１１にはリトリガラブルであるタイマ回路を用いており、保持時間の時限中に人感センサ２からの検知信号が入力される状態が継続していれば検知エリア内に人が存在するとみなすように構成されている。この構成を採用していることによって、検知信号の発生から保持時間が経過するまでは検知信号が得られなくても検知エリアに人が継続して存在しているとみなし、保持時間の時限中に人がわずかでも動けば検知信号の発生により検知エリアでの人の存在が再確認されるから保持時間を延長することができる。
【００１８】
一方、負荷制御部１２を構成する各負荷出力部１２ａは、負荷回路において電源から負荷３への給電経路を入切するリレーのようなスイッチ要素を備える。スイッチ要素はマイコンからなる演算処理部１０によりオン・オフが制御される。つまり、センサ入力部１１と負荷出力部１２ａとを一対一に対応付けているものとして説明すれば、図３（ａ）のように人感センサ２の検知エリアに人が入ると、図３（ｂ）のようにセンサ入力部１１には人感センサ２から検知信号が入力され、また検知エリアに人が存在する間には検知信号が適宜に発生する。したがって、図３（ｃ）のように検知信号によって負荷出力部１２ａに接続された負荷回路がオンになった後には、次の検知信号が保持時間Ｔｃ内に得られている間は負荷回路のオン状態が継続されることになる。検知信号の発生から保持時間Ｔｃが経過するまでに次の検知信号が発生しないときには、検知エリアに人が存在しないものとして保持時間Ｔｃの経過後に負荷回路はオフにされる。
【００１９】
ところで、演算処理部１０には制御テーブルを格納したメモリからなる記憶部１３が接続される。制御テーブルでは、センサ入力部１１に入力された検知情報の組合せに対して負荷出力部１２ａによる負荷回路の制御状態を対応付けてある。換言すれば、どのセンサ入力部１１に接続された人感センサ２が人の存在を検知したときに、どの負荷出力部１２ａによって負荷３に給電するかの組合せが制御テーブルによって設定されている。制御テーブルによる人感センサ２と負荷３との組合せは一対一の組合せを含めて任意個数対任意個数の組合せが可能になっている。
【００２０】
センサコントローラ１には、制御テーブルの内容を設定したり修正したりするために、設定部１４も設けられている。本実施形態では、設定部１４として制御テーブルのデータを入力するためのパーソナルコンピュータのような他装置が接続可能なインタフェースを用いる。
【００２１】
制御テーブルの設定例を説明するために、図２（ａ）に示すような配置に対応する場合を例とする。図示例ではオフィス内が６個の領域（破線で仕切った領域）に分割され、各領域を照明する照明器具が配置される。各領域をそれぞれ検知エリアに一致させた６個の人感センサ２（以下では、各人感センサ２を区別する必要があるときには、人感センサ２−ａ，２−ｂ，……と表記する）が配置されているものとする。図２（ａ）に示す例では、各２個ずつの人感センサ２の検知エリアを１つの区画Ａ〜Ｃとして設定してある。つまり、区画Ａは人感センサ２−ａ，２−ｂの検知エリアを組み合わせた範囲に相当し、区画Ｂは人感センサ２−ｄ，２−ｅの検知エリアを組み合わせた範囲に相当し、区画Ｃは人感センサ２−ｃ，２−ｆの検知エリアを組み合わせた範囲に相当する。区画Ａ〜Ｃは、たとえばオフィスにおける各部署を１区画とするように設定される。
【００２２】
いま、各区画Ａ〜Ｃに人が存在する期間に各区画Ａ〜Ｃに対応する範囲の照明器具が点灯するように制御するものとする。上述のように人感センサ２は６個設けられているから、各人感センサ２をそれぞれ異なるセンサ入力部１１に接続するために６個のセンサ入力部１１が使用される。一方、３個の区画Ａ〜Ｃに対応すればよいから、負荷回路については最小構成では３系統あればよく、したがってセンサコントローラ１では３個の負荷出力部１２ａ（以下では、各負荷出力部１２ａを区別する必要があるときには、負荷出力部１２ａ−ａ，１２ａ−ｂ，……と表記する）を使用する。つまり、各区画Ａ〜Ｃに対応して配置した照明器具を含んだ負荷回路をそれぞれ異なる負荷出力部１２ａ−ａ，１２ａ−ｂ，１２ａ−ｃに接続する。
【００２３】
一方、制御テーブルでは、人感センサ２−ａ，２−ｂをそれぞれ接続したセンサ入力部１１の少なくとも一方が保持時間の時限中である期間に負荷制御部１２ａ−ａがオンになり、人感センサ２−ｄ，２−ｅをそれぞれ接続したセンサ入力部１１の少なくとも一方が保持時間の時限中である期間に負荷制御部１２ａ−ｂがオンになり、人感センサ２−ｃ，２−ｆをそれぞれ接続したセンサ入力部１１の少なくとも一方が保持時間の時限中である期間に負荷制御部１２ａ−ｃがオンになるように設定される。要するに、各２個ずつのセンサ入力部１１が保持時間の時限中であるか否かの論理和によって、各負荷制御部１２ａのオン・オフを決定する。たとえば、図４（ａ）のように区画Ａに人が入れば、図４（ｂ）（ｃ）のように、センサ入力部１１には人感センサ２−ａ，２−ｂのいずれかから検知信号が入力され（図示例では人感センサ２−ａから検知信号が入力されている）、その後はいずれかの人感センサ２−ａ，２−ｂの検知エリアに人が存在する間には検知信号が適宜に発生するから、人感センサ２−ａ，２−ｂのうちのいずれかから検知信号が保持時間Ｔｃ内の時間間隔で発生している間には、区画Ａに人が存在し続けているものとして図４（ｄ）のように負荷出力部１２ａ−ａに接続された負荷回路をオンにする。同様に、人が区画Ｂに存在する間には負荷出力部１２ａ−ｂに接続された負荷回路をオンにし、人が区画Ｃに存在する間には負荷出力部１２ａ−ｃに接続された負荷回路をオンにする。つまり、１つの区画Ａ〜Ｃが比較的広い場合でも、各区画Ａ〜Ｃに２個ずつの人感センサ２を配置することによって対応可能になる。
【００２４】
ところで、オフィスの配置変更に伴って区画割りが図２（ｂ）のように変更されたとする。つまり、図２（ａ）における区画Ａ，Ｂを結合して新たな区画Ａ′を形成し、図２（ｂ）における区画Ｃを２分割して新たな区画Ｂ′，Ｃ′を形成したとする。区画Ａ′〜Ｃ′に配置されている照明器具は上述した構成例では３系統の負荷回路に接続されており、配置変更後も３系統の負荷回路ではあるが、各区画Ａ〜Ｃごとの照明範囲は異なるから負荷出力部１２ａに対する照明器具の接続関係には変更が必要である。図示例では、人感センサ２−ａ，２−ｂ，２−ｄ，２−ｅに対応する範囲を区画Ａ′とし、人感センサ２ｃに対応する範囲を区画Ｂ′とし、人感センサ２ｆに対応する範囲を区画Ｃ′とするように、各照明器具を３系統の負荷回路の負荷出力部１２ａにそれぞれ接続することになる。ここに、区画Ａ′を負荷出力部１２ａ−ａに対応付け、区画Ｂ′を負荷出力部１２ａ−ｂに対応付け、区画Ｃ′を負荷出力部１２ａ−ｃに対応付ける。
【００２５】
一方、各人感センサ２はそれぞれ異なるセンサ入力部１１に接続してあるから、接続の変更は不要である。また、制御テーブルに関しては、人感センサ２−ａ，２−ｂ，２−ｄ，２−ｅを負荷出力部１２ａ−ａに対応付け、人感センサ２−ｃを負荷出力部１２ａ−ｂに対応付け、人感センサ２−ｆを負荷出力部１２ａ−ｃに対応付けるように設定しておく。
【００２６】
上述のように、センサコントローラ１の負荷出力部１２ａへの照明器具の接続関係を変更するとともに、制御テーブルにおける対応関係を変更するだけで、オフィス内の配置変更に容易に対応することができ、変更後は各区画Ａ′〜Ｃ′に人が存在する間に各区画Ａ′〜Ｃ′に対応する照明器具を点灯させることが可能になる。
【００２７】
ところで、本実施形態においては、各人感センサ２の検知エリアにそれぞれほぼ一致する範囲を照明範囲とする照明器具を各１系統の負荷回路に接続し、各負荷回路をそれぞれ異なる負荷出力部１２ａに接続してもよい。要するに、人感センサ２の検知エリアごとに照明器具の点灯・消灯を制御することが可能になる。たとえば、図２に示す構成例では、６個の人感センサ２を設けているから、負荷回路も６系統が必要であって、６個の負荷出力部１２ａが必要になる。このように、負荷出力部１２ａに対する照明器具の結線数は上述した構成例よりも多くなるが、人感センサ２の検知エリアと照明器具の照明範囲とが一対一に対応しているから、オフィス内の配置変更への対応がより容易になる。
【００２８】
たとえば、人感センサ２−ａ〜２−ｆの検知領域に照明範囲がそれぞれ対応する照明器具を負荷出力部１２ａ−ａ〜１２ａ−ｆにそれぞれ接続しておけば、制御テーブルによって人感センサ２と照明器具（つまり、負荷出力部１２ａ）との対応関係を変更するだけで、図２（ａ）の配置から図２（ｂ）の配置への変更に容易に対応することが可能になる。すなわち、図２（ａ）の配置に対応する制御テーブルは、人感センサ２−ａ，２−ｂの論理和によって負荷出力部１２ａ−ａと負荷出力部１２ａ−ｂとをともにオンにし、人感センサ２−ｄ，２−ｅの論理和によって負荷出力部１２ａ−ｄと負荷出力部１２ａ−ｅとをともにオンにし、人感センサ２−ｃ，２−ｆの論理和によって負荷出力部１２ａ−ｃと負荷出力部１２ａ−ｆとをともにオンにするように設定する。一方、図２（ｂ）の配置に対応する制御テーブルは、人感センサ２−ａ，２−ｂ，２−ｄ，２−ｅの論理和によって負荷出力部１２ａ−ａ，１２ａ−ｂ，１２ａ−ｄ，１２ａ−ｅをすべてオンにし、人感センサ２−ｃによって負荷出力部１２ａ−ｃをオンにし、人感センサ２−ｆによって負荷出力部１２ａ−ｆをオンにするように設定する。このように、制御テーブルの変更のみで人感センサ２と照明器具との関係を様々に設定することが可能になる。
【００２９】
たとえば、複数個の人感センサ２の検知エリアを合成して１系統の負荷回路を制御すれば、１系統の負荷回路を制御するために広い検知エリアを設定することが可能になる。
【００３０】
また、図５に示すように、２つの区画Ａ，Ｂの間に区画Ｃが存在し、区画Ｃの照明器具は区画Ａ，Ｂの照明器具のどちらが点灯した場合にも同時に点灯するようにしたい場合には、区画Ａ，Ｃに跨る検知エリアＥ１と、区画Ｂ，Ｃに跨る検知エリアＥ２とを有した人感センサ２を設け、区画Ａ，Ｂ，Ｃの照明器具を各１系統の負荷回路として各負荷回路をそれぞれ別の負荷出力部１２ａに接続し、制御テーブルによって検知エリアＥ１を持つ人感センサ２を区画Ａ，Ｃの照明器具に対応付け、検知エリアＥ２を持つ人感センサ２を区画Ｂ，Ｃの照明器具に対応付ければよいのである。
【００３１】
さらに、図８に示した構成例のように重複しない３区画Ａ，Ｂ，Ｃがあり、区画Ａに人が存在するときに区画Ａの照明器具を点灯させ、区画Ｂ，Ｃのいずれかに人が存在するときに区画Ｂ，Ｃの照明器具を同時に点灯させる状態から、区画Ａ，Ｂのいずれかに人が存在するときに区画Ａ，Ｂの照明器具を同時に点灯させ、区画Ｃに人が存在するときに区画Ｃの照明器具を点灯させる状態に変更する場合には、制御テーブルの変更のみで対応することが可能である。
【００３２】
上述した配置例は一例であって、人感センサ２と照明器具とは適宜に配置することができ、また関係付けようとする人感センサ２と照明器具とは制御テーブルによって任意に設定することが可能である。
【００３３】
（第２の実施の形態）
上述した実施形態では、負荷制御部１２に負荷回路をそれぞれオン・オフさせる複数個の負荷出力部１２ａを設けた例を示したが、本実施形態では図６に示すように負荷制御部１２に通信処理部１２ｂを設けてある。通信処理部１２ｂは主として伝送信号の送信を行う送信部として機能するが、必要に応じて信号を受信する受信機能を備えていてもよい。また、本実施形態では伝送信号を伝送する伝送路４として有線の伝送路を例示するが無線の伝送路を用いることを妨げるものではない。
【００３４】
本実施形態のセンサコントローラ１の負荷制御部１２には負荷回路は接続されず、図７に示すように、負荷３を備える負荷回路は通信処理部１２ｂに伝送路を介して接続された制御ユニット５に接続される。制御ユニット５は各別にアドレスが設定され、アドレスおよび制御データを含む伝送信号を伝送路から受け取り、伝送信号により受け取ったアドレスがあらかじめ設定されているアドレスに一致すると制御データを取り込む受信部５ａと、制御データに従って負荷回路のオン・オフ（制御状態）を制御する出力部５ｂとを備える。つまり、第１の実施の形態における負荷出力部１２ａの機能を制御ユニット５に持たせ、演算処理部１０から制御ユニット５へのデータの伝送に伝送路４を用いる構成を採用したものである。
【００３５】
ここに、伝送路４を伝送される伝送信号は、図８に示すように、伝送信号の送り元を示すソースアドレスＳＡと、伝送信号の送り先を示すディスティネーションアドレスＤＡと、負荷回路の制御状態（オン・オフ）を示す制御データＣＤとを含む。なお、伝送信号には伝送誤りを検出するためのエラーチェックコードなども付加される。本実施形態では基本的にはセンサコントローラ１から制御ユニット５に対して伝送信号を送信するが、伝送誤りに対応して制御ユニット５からセンサコントローラ１に対して再送を要求する構成としてもよい。
【００３６】
上述のように負荷回路は制御ユニット５に対応して設けられるから、負荷回路の指定には制御ユニット５のアドレスを指定すればよい。したがって、制御テーブルはセンサ入力部１１とアドレスとを対応付けることになる。つまり、人感センサ２によって人が検知されると、その人感センサ２に対応付けられているアドレスが制御テーブルから抽出され、通信処理部１２ｂでは当該アドレスを用いて負荷回路のオン・オフを指定する制御データを含んだ伝送信号を伝送路４に送出するのである。この制御データは伝送信号に含まれるアドレスと一致するアドレスが設定されている制御ユニット５に受信されるから、当該制御ユニット５において制御データに従って負荷回路のオン・オフを制御することになる。他の構成および機能は第１の実施の形態と同様である。
【００３７】
本実施形態では制御ユニット５のアドレスを制御テーブルに設定し、通信処理部１２ｂでは制御テーブルに登録されたアドレスを用いているが、負荷制御部２に各別にアドレスを有する複数個の通信処理部１２ｂを設けることも可能である。この場合には、各通信処理部１２ｂごとにアドレスを固定的に設定しておき、制御テーブルではセンサ入力部１１と通信処理部１２ｂとの対応付けを行うことになる。つまり、第１の実施の形態における負荷出力部１２ａを通信処理部１２ｂに置き換えたことになり、制御テーブルは第１の実施の形態と同様に設定することが可能になる。
【００３８】
なお、上述した各実施形態では人感センサ２をセンサユニット１とは別体に設けているが、センサユニット１の器体に人感センサ２を組み込むようにしてもよい。センサユニット１に複数個の人感センサ１を組み込んだ場合には、各人感センサ２の検知エリアが任意に設定可能となるように、人感センサ２の向きや感度の調節を可能にする構成を付加する。また、複数個の人感センサ２のうちの１個をセンサユニット１の器体に組み込み、他の人感センサ２はセンサユニット１とは別に設けるようにしてもよい。この構成を採用すれば、上述した各構成例と同様にして人感センサ２の検知エリアを設定しながらも、１個の人感センサ２に代えてセンサユニット１を用いることになるから、上記構成例では必要であったセンサユニット１の配置スペースが不要になる。
【図面の簡単な説明】
【００３９】
【図１】本発明の第１の実施の形態を示すブロック図である。
【図２】同上の使用例を示す説明図である。
【図３】同上の動作説明図である。
【図４】同上の動作説明図である。
【図５】同上の使用例を示す図である。
【図６】本発明の第２の実施の形態を示すブロック図である。
【図７】同上の使用例を示す説明図である。
【図８】同上に用いる伝送信号のフォーマットを示す説明図である。
【図９】従来構成の使用例を示す説明図である。
【符号の説明】
【００４０】
１  センサコントローラ
２  人感センサ
３  負荷
４  伝送路
５  制御ユニット
１０  演算処理部
１１  センサ入力部
１２  負荷制御部
１２ａ  負荷出力部
１２ｂ  通信処理部
１３  記憶部
１４  設定部
【図１】
2008172806.tif 000003
【図２】
2008172806.tif 000004
【図３】
2008172806.tif 000005
【図４】
2008172806.tif 000006
【図５】
2008172806.tif 000007
【図６】
2008172806.tif 000008
【図７】
2008172806.tif 000009
【図８】
2008172806.tif 000010
【図９】
2008172806.tif 000011